(57)【特許請求の範囲】
【請求項１】
サービス優先度に応じて全てのユーザ端末を異なるユーザ群に区分し、それぞれのユーザ群に対して、データ再送トリガー周期と、突発的データ再送トリガー閾値と、データ再送策略とを含む再送パラメータを設定することと、
基地局が、前記データ再送トリガー周期内にユーザ群内のユーザ端末からのデータ再送要求を受信した回数が、前記突発的データ再送トリガー閾値以上である場合、前記ユーザ群内のユーザ端末に対してデータ再送処理を行い、再計時し、そうでない場合は、前記データ再送トリガー周期がタイムアップすると、前記ユーザ群内のユーザ端末に対してデータ再送処理を行い、再計時することと、
を含むことを特徴とするＥ−ＭＢＭＳにおけるデータ再送方法。
【請求項２】
前記基地局がユーザ群内のユーザ端末に対してデータ再送処理を行うことは、
データ再送設定フィールドを生成することと、
データの再送を要求したユーザ端末に前記データ再送設定フィールドおよび再送データを送信することと、
を含むことを特徴とする請求項１に記載のＥ−ＭＢＭＳにおけるデータ再送方法。
【請求項３】
前記データ再送設定フィールドは、サービス優先度種類サブフィールドと、データ再送策略指定サブフィールドとを含むことを特徴とする請求項２に記載のＥ−ＭＢＭＳにおけるデータ再送方法。
【請求項４】
基地局が、データの再送を要求したユーザ端末に前記データ再送設定フィールドおよび再送データを送信した後、前記ユーザ群内のユーザ端末が、前記データ再送設定フィールドに基づいて前記再送データを受信することを特徴とする請求項２に記載のＥ−ＭＢＭＳにおけるデータ再送方法。
【請求項５】
サービス優先度に応じて全てのユーザ端末を異なるユーザ群に区分し、それぞれのユーザ群に対して、データ再送トリガー周期と、突発的データ再送トリガー閾値と、データ再送策略とを含む再送パラメータを設定する再送パラメータ設定手段と、
前記データ再送トリガー周期に基づいて計時し、タイムアップする場合に、前記ユーザ群に対してデータ再送処理を行うようデータ再送処理手段に通知する計時手段と、
ユーザ端末からのデータ再送要求を受信した後、前記ユーザ端末の属するユーザ群からのデータ再送要求の回数を記録し、前記計時手段がタイムアップする前に、ユーザ群内のユーザ端末からのデータ再送要求の回数が前記突発的データ再送トリガー閾値を超えた場合に、前記ユーザ群に対してデータ再送処理を行うようデータ再送処理手段に通知するカウント手段と、
再送パラメータ設定手段により設定されたパラメータと、前記計時手段および前記カウント手段から受信した通知とに基づいて、ユーザ群内のユーザ端末に対してデータ再送処理を行い、データ再送処理の後、再計時するよう計時手段に通知する前記データ再送処理手段と、
を備えることを特徴とするＥ−ＭＢＭＳにおけるデータ再送装置。
【請求項６】
前記データ再送処理手段は、具体的には、
データ再送設定フィールドを生成するデータ再送設定フィールド生成手段と、
前記データ再送設定フィールドおよび再送データを、データの再送を要求したユーザ端末に送信し、データ再送処理の後、再計時するよう計時手段に通知する送信手段と、
を含むことを特徴とする請求項５に記載のＥ−ＭＢＭＳにおけるデータ再送装置。
【請求項７】
前記データ再送設定フィールド生成手段により生成されたデータ再送設定フィールドは、サービス優先度種類サブフィールドと、データ再送策略指定サブフィールドとを含むことを特徴とする請求項６に記載のＥ−ＭＢＭＳにおけるデータ再送装置。
【請求項８】
前記ユーザ端末は、前記送信手段により送信されたデータ再送設定フィールドおよび再送データに基づいて前記再送データを受信するものであることを特徴とする請求項６に記載のＥ−ＭＢＭＳにおけるデータ再送装置。
【発明の詳細な説明】
【技術分野】
【０００１】
本発明は、無線通信におけるデータ送信技術に関し、特にＥ−ＭＢＭＳにおけるデータ再送方法及び装置に関する。
【背景技術】
【０００２】
次世代の広帯域無線通信ネットワークにおいて、新しく登場したモバイルマルチメディアサービスと伝統的な放送サービス、例えば、放送やテレビにより試合集の短編ビデオを送信するスポーツ情報サービス、携帯電話のユーザが既存のテレビチャネルから番組の事項を抽出するサービスなどは、占有する周波数スペクトルが益々多くなってきている。周波数スペクトルは、限りがある高価なリソースであり、モバイルネットワーク、特にモバイルリンクにおいて同一サーバの多数の受信者が同一リンクを利用すると、ボトルネック（ｂｏｔｔｌｅｎｅｃｋ）が発生しやすい。従って、この問題を解決するために、Ｅ−ＭＢＭＳ（Ｅｎｈａｎｃｅｄ  Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）が開発されている。
【０００３】
Ｅ−ＭＢＭＳには、ユーザ端末とのインタラクティブ、データダウンロードなどのサービスの場合に、データまたはシグナリングのデータ再送が発生することがある。従来、ユーザ端末ごと対して、データ再送回数またはハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）のプロセス数が同じで、このようなデータ再送方式では、システムの制御シグナリングの往復遅延時間が長くなり、ユーザ端末の待機時間が増加し、データ再送効率に影響を与える。従って、どのようにユーザ端末の待機時間を低減させ、データ再送効率を向上させるのかということは、Ｅ−ＭＢＭＳサービスを有する無線通信システムにおいて早急に解決すべき問題である。
【発明の概要】
【発明が解決しようとする課題】
【０００４】
本発明は、上記の問題に鑑みてなされたものであり、ユーザ端末の待機時間を低減させ、データ再送効率を向上させるように、Ｅ−ＭＢＭＳにおけるデータ再送方法及び装置を提供することを主な目的とする。
【課題を解決するための手段】
【０００５】
上述した目的を達成するために、本発明の１態様によれば、Ｅ−ＭＢＭＳにおけるデータ再送方法が提供される。
【０００６】
本発明のＥ−ＭＢＭＳにおけるデータ再送方法は、
サービス優先度に応じて全てのユーザ端末を異なるユーザ群に区分し、それぞれのユーザ群に対して再送パラメータの設定を行うことと、
基地局が、特定の期間にユーザ群内のユーザ端末からのデータ再送要求を受信した回数が設定された再送パラメータの予め設定された値以上である場合、ユーザ群内のユーザ端末に対してデータ再送処理を行い、再計時し、そうでない場合は、所定の時間がタイムアップすると、ユーザ群内のユーザ端末に対してデータ再送処理を行い、再計時することと、
を含む。
【０００７】
本発明において、再送パラメータは、データ再送トリガー周期と、突発的データ再送トリガー閾値と、データ再送策略とを含み、
特定の期間は、データ再送トリガー周期であり、
予め設定された値は、突発的データ再送トリガー閾値である。
【０００８】
基地局がユーザ群内のユーザ端末に対してデータ再送処理を行うことは、
データ再送設定フィールドを生成することと、
データの再送を要求したユーザ端末にデータ再送設定フィールドおよび再送データを送信することと、を含むことが好ましい。
【０００９】
データ再送設定フィールドは、サービス優先度種類サブフィールドと、データ再送策略指定サブフィールドとを含むことが好ましい。
【００１０】
基地局が、データの再送を要求したユーザ端末にデータ再送設定フィールドおよび再送データを送信した後、ユーザ群内のユーザ端末が、データ再送設定フィールドに基づいて再送データを受信することが好ましい。
【００１１】
本発明の他の態様によれば、Ｅ−ＭＢＭＳにおけるデータ再送装置が提供される。
【００１２】
本発明のＥ−ＭＢＭＳにおけるデータ再送装置は、
サービス優先度に応じて全てのユーザ端末を異なるユーザ群に区分し、それぞれのユーザ群に対して再送パラメータの設定を行う再送パラメータ設定手段と、
再送パラメータ設定手段により設定されたパラメータに基づいて計時し、計時時間がパラメータ条件を満たしている場合に、ユーザ群に対してデータ再送処理を行うようデータ再送処理手段に通知する計時手段と、
ユーザ端末からのデータ再送要求を受信した後、ユーザ端末の属するユーザ群からのデータ再送要求の回数を記録し、計時時間がパラメータ条件を満たさず、且つ、ユーザ群内のユーザ端末からのデータ再送要求の回数が予め設定された値以上である場合に、ユーザ群に対してデータ再送処理を行うようデータ再送処理手段に通知するカウント手段と、
再送パラメータ設定手段により設定されたパラメータと、計時手段およびカウント手段から受信した通知とに基づいて、ユーザ群内のユーザ端末に対してデータ再送処理を行い、データ再送処理の後、再計時するよう計時手段に通知するデータ再送処理手段と、を備える。
【００１３】
本発明において、再送パラメータ設定手段により設定された再送パラメータは、データ再送トリガー周期と、突発的データ再送トリガー閾値と、データ再送策略とを含み、
計時手段は、データ再送トリガー周期に基づいて計時し、
カウント手段は、計時手段がタイムアップしておらず、且つ、ユーザ群内のユーザ端末からのデータ再送要求の回数が突発的データ再送トリガー閾値を超える場合に、データ再送処理手段に通知する。
【００１４】
データ再送処理手段は、具体的には、
データ再送設定フィールドを生成するデータ再送設定フィールド生成手段と、
データ再送設定フィールドおよび再送データを、データの再送を要求したユーザ端末に送信し、データ再送処理の後、再計時するよう計時手段に通知する送信手段と、を含むことが好ましい。
【００１５】
データ再送設定フィールド生成手段により生成されたデータ再送設定フィールドは、サービス優先度種類サブフィールドと、データ再送策略指定サブフィールドとを含むことが好ましい。
【００１６】
ユーザ端末は、送信手段により送信されたデータ再送設定フィールドおよび再送データに基づいて再送データを受信するものであることが好ましい。
【発明の効果】
【００１７】
本発明のＥ−ＭＢＭＳにおけるデータ再送方法及び装置は、サービス優先度に応じてユーザ端末を異なるユーザ群に区分し、異なるユーザ群ごとに異なるデータ再送策略を用いることにより、システムの制御シグナリングの往復遅延時間を極力短縮し、ユーザ端末の待機時間を短縮することができる。
【００１８】
また、それぞれのユーザ群に対してデータ再送トリガー周期および突発的データ再送トリガー閾値を設定して、周期的または突発的にユーザ群へのデータ再送をトリガリングすることにより、一定の公平性を確保することを前提として、Ｅ−ＭＢＭＳのデータ再送効率を向上させることができる。
【図面の簡単な説明】
【００１９】
【図１】本発明の実施例に係るＥ−ＭＢＭＳにおけるデータ再送方法の流れ図である。
【図２】本発明の実施例に係るデータ再送設定フィールドの構成図である。
【図３】本発明の実施例に係るＥ−ＭＢＭＳにおけるデータ再送装置の構成図である。
【発明を実施するための形態】
【００２０】
[機能概略]
関係技術において、ユーザ端末ごとにデータの再送を行う際に同じプロセス数を利用するために、システムの制御シグナリングの往復遅延時間が長くなり、ユーザ端末の待機時間が増加し、データ再送効率に影響を与えるという問題があり、本発明は、この問題に鑑みてなされたもので、サービス優先度に基づいてユーザ端末を異なるユーザ群に区分し、それぞれのユーザ群に対して再送パラメータを設定することにより、周期的または突発的にユーザ群へのデータ再送をトリガリングし、設定されたデータ再送策略に応じてユーザ群内のユーザ端末にデータを再送することを基本思想とするＥ−ＭＢＭＳにおけるデータ再送方式を提供するものである。
【００２１】
再送パラメータは、データ再送トリガー周期と、突発的データ再送トリガー閾値と、データ再送策略とを含む。なお、本発明では、シグナリングの再送も、データ再送の範囲に含まれる。
【００２２】
以下、図面を参照しながら実施例を結び合わせて本発明について詳細に説明する。なお、本願の実施例および実施例の特徴同士は、相容れなくないのであれば、組み合わせが可能である。
【００２３】
[方法の実施例]
図１は、本発明の実施例に係るＥ−ＭＢＭＳにおけるデータ再送方法の流れ図であり、本発明の実施例に係るＥ−ＭＢＭＳにおけるデータ再送方法は、図１に示すように、以下のステップ１１〜ステップ１６を含む。
【００２４】
ステップ１１において、サービス優先度に基づいてユーザ群を区分する。
【００２５】
ここで、システムの需要に応じて、サービスに対応する異なる優先度であるサービス優先度を設定することができ、例えば、全てのサービスを、優先度の低い順にＵＧＳ（Ｕｎｓｏｌｉｃｉｔｅｄ  Ｇｒａｎｔ  Ｓｅｒｖｉｃｅ）と、ｒｔＰＳ（Ｒｅａｌ−ｔｉｍｅ  Ｐｏｌｌｉｎｇ  Ｓｅｒｖｉｃｅ）と、ｅｒｔＰＳ（Ｅｘｔｅｎｄｅｄ  Ｒｅａｌ−ｔｉｍｅ  Ｐｏｌｌｉｎｇ  Ｓｅｒｖｉｃｅ）と、ｎｒｔＰＳ（Ｎｏｎ−Ｒｅａｌ−ｔｉｍｅ  Ｐｏｌｌｉｎｇ  Ｓｅｒｉｖｅ）と、ＢＥＳ（Ｂｅｓｔ  Ｅｆｆｏｒｔ  Ｓｅｒｖｉｃｅ）とに区分し、これに応じて、全てのユーザ端末を、ＵＧＳユーザ群と、ｒｔＰＳユーザ群と、ｅｒｔＰＳユーザ群と、ｎｒｔＰＳユーザ群と、ＢＥＳユーザ群とに区分することができる。
【００２６】
ユーザ端末のサービス優先度に基づいて全てのユーザ端末を異なるユーザ群に区分することは、ユーザ端末をサービス優先度に応じて区分することにより、データ再送要求を取り扱う際に、あるユーザ群内のユーザ端末全体のみに対して処理を行い、他のユーザ群内のユーザ端末を待機させるためである。
【００２７】
ステップ１２において、それぞれのユーザ群に対して再送パラメータの設定を行ってから、計時を開始する。
【００２８】
再送パラメータは、一般的には、データ再送トリガー周期と、突発的データ再送トリガー閾値と、データ再送策略とを含む。ここで、異なるユーザ群のそれぞれに対して再送パラメータを設定し、それぞれのユーザ群の各再送パラメータは、異なってもよく、同一でもよい。
【００２９】
また、データ再送トリガー周期は、時間に基づいて、ユーザ群内のユーザ端末からのデータ再送要求を取り扱うか否かを決定するものである。
【００３０】
突発的データ再送トリガー閾値は、データ再送トリガー周期に、ユーザ群からのデータ再送要求の回数に基づいて、ユーザ群内のユーザ端末からのデータ再送要求を取り扱うか否かを決定するものである。
【００３１】
データ再送策略は、データ再送処理時のリソース利用状況を拘束するもので、異なるユーザ群に対応するデータ再送ごとに、異なるデータ再送方式を用いて、シグナリングのインタラクティブ遅延および往復遅延を減らすことを目的とする。例えば、ＢＥＳユーザ群の場合、そのサービス品質を確保するため、データ再送の時、ユーザ群の全てのユーザ端末が再送データを確実に受信できることを極力確保する必要がある。この場合、多くのデータ再送回数またはハイブリッド自動再送要求のプロセス数が必要でなり、例えば、所要のデータ再送回数は５回である。ＵＧＳユーザ群の場合には、所要のデータ再送回数またはハイブリッド自動再送要求のプロセス数が少なくなり、例えば、所要のデータ再送回数は１回である。もちろん、データ再送策略は、本書に指定された事項に限定されず、データ再送に関するほかの事項を含んでもよい。
【００３２】
ステップ１３において、基地局は、ユーザ端末からのデータ再送要求を受信して、ユーザ端末の属するユーザ群からのデータ再送要求回数をカウントする。
【００３３】
ステップ１４において、計時時間がユーザ群のデータ再送トリガー周期に達したかを判断し、達した場合、ステップ１６を実行し、達しない場合、ステップ１５を実行する。
【００３４】
本ステップは、基地局があるユーザ群に対してデータ再送処理を行っていないままである状態が所定の時間、すなわち、ユーザ群のデータ再送トリガ周期―に達すると、ユーザ群内のユーザ端末からのデータ再送要求の受信回数にかかわらず、データ再送の処理を開始すると理解することができる。
この周期において、基地局は、全てのデータを、データ再送がトリガリングされる際に使用するように保持する必要がある。
【００３５】
ステップ１５において、ユーザ群のデータ再送要求の数がユーザ群の突発的データ再送トリガー閾値以上であるかを判断し、であれば、ステップ１６を実行し、でなければ、ステップ１４に戻る。
【００３６】
本ステップは、データ再送トリガー周期に達していないとき、あるユーザ群内のユーザ端末からのデータ再送要求の受信回数が所定の回数、即ち、ユーザ群の突発的データ再送トリガー閾値を超えると、突発的にデータ再送処理を行うと理解することができる。
【００３７】
ステップ１６において、基地局は、データ再送設定フィールドを生成し、再送を要求したユーザ端末にデータ再送設定フィールドおよび再送データを送信して、ユーザ群の計時を再開し、ステップ１３に戻る。
【００３８】
図２は、本発明の実施例に係るデータ再送設定フィールドの構成を示す図である。図２に示すように、データ再送設定フィールドは、一般的には、サービス優先度種類サブフィールドと、データ再送策略指定サブフィールドとを含む。サービス優先度種類サブフィールドは、サービス優先度種類サブフィールドと整合するユーザ群の全てのユーザ端末はデータ再送策略により指定された事項に応じて再送データを受信し、他のサービス優先度種類と整合するユーザ群内のユーザ端末は処理を行わないように、当該サービス優先度種類サブフィールドと整合するユーザ群を指示するためのものである。データ再送策略指定サブフィールドは、基地局とユーザ端末との間で約束された予め定められたデータ再送策略に基づいてデータの再送を開始するためのものである。
【００３９】
基地局は、再送を要求したユーザ端末にデータ再送設定フィールドおよび再送データを受信した後、ユーザ端末は、データ再送設定フィールドを受信し、データ再送策略に基づいて再送データを受信する。すなわち、サービス優先度種類サブフィールドと整合するユーザ群内のユーザ端末は、データを受信し、他の部分は、データ再送周期に待機する。
【００４０】
本発明の実施例によれば、コンピュータが実行可能なコマンドが記憶されているコンピュータ読取可能な媒体が提供される。当該コマンドがコンピュータまたはプロセッサにより実行されると、コンピュータまたはプロセッサを、図１に示すようなステップ１１〜ステップ１６の処理、好ましくは、上述した方法の実施例の１または複数を実行させる。
【００４１】
[装置の実施例]
図３は、本発明の実施例に係るＥ−ＭＢＭＳにおけるデータ再送装置の構成図である。本発明の実施例に係るＥ−ＭＢＭＳにおけるデータ再送装置は、図３に示すように、再送パラメータ設定手段３１と、計時手段３２と、カウント手段３３と、データ再送処理手段３４とを備える。
【００４２】
再送パラメータ設定手段３１は、サービス優先度に応じて全てのユーザ端末を異なるユーザ群に区分し、ユーザ群に対して再送パラメータの設定を行うものである。
【００４３】
ここで、システムの需要に応じて、サービスに対応する異なる優先度であるサービス優先度を設定することができ、例えば、全てのサービスを、優先度の低い順にＵＧＳ（Ｕｎｓｏｌｉｃｉｔｅｄ  Ｇｒａｎｔ  Ｓｅｒｖｉｃｅ）と、ｒｔＰＳ（Ｒｅａｌ−ｔｉｍｅ  Ｐｏｌｌｉｎｇ  Ｓｅｒｖｉｃｅ）と、ｅｒｔＰＳ（Ｅｘｔｅｎｄｅｄ  Ｒｅａｌ−ｔｉｍｅ  Ｐｏｌｌｉｎｇ  Ｓｅｒｖｉｃｅ）と、ｎｒｔＰＳ（Ｎｏｎ−Ｒｅａｌ−ｔｉｍｅ  Ｐｏｌｌｉｎｇ  Ｓｅｒｉｖｅ）と、ＢＥＳ（Ｂｅｓｔ  Ｅｆｆｏｒｔ  Ｓｅｒｖｉｃｅ）とに区分し、それに応じて、全てのユーザ端末を、ＵＧＳユーザ群と、ｒｔＰＳユーザ群と、ｅｒｔＰＳユーザ群と、ｎｒｔＰＳユーザ群と、ＢＥＳユーザ群とに区分することができる。
【００４４】
ユーザ端末のサービス優先度に基づいて全てのユーザ端末を異なるユーザ群に区分することは、ユーザ端末をサービス優先度に応じて区分することにより、データ再送要求を取り扱う際に、あるユーザ群内のユーザ端末全体のみに対して処理を行い、他のユーザ群内のユーザ端末を待機させるためである。
【００４５】
また、再送パラメータ設定手段３１がユーザ群に対して設定した再送パラメータは、一般的には、データ再送トリガー周期と、突発的データ再送トリガー閾値と、データ再送策略とを含む。ここで、異なるユーザ群のそれぞれに対して再送パラメータを設定し、それぞれのユーザ群の各再送パラメータは、異なってもよく、同一でもよい。
【００４６】
また、データ再送トリガー周期は、時間に基づいて、ユーザ群内のユーザ端末からのデータ再送要求を取り扱うか否かを決定するものである。
【００４７】
突発的データ再送トリガー閾値は、データ再送トリガー周期に、ユーザ群からのデータ再送要求の回数に基づいて、ユーザ群内のユーザ端末からのデータ再送要求を取り扱うか否かを決定するものである。
【００４８】
データ再送策略は、データ再送処理時のリソース利用状況を拘束するもので、異なるユーザ群に対応するデータ再送ごとに、異なるデータ再送方式を用いて、シグナリングのインタラクティブ遅延および往復遅延を減らすことを目的とする。例えば、ＢＥＳユーザ群の場合、そのサービス品質を確保するため、データ再送の時、ユーザ群の全てのユーザ端末が再送データを確実に受信できることを極力確保する必要がある。この場合、多くのデータ再送回数またはハイブリッド自動再送要求のプロセス数が必要でなり、例えば、所要のデータ再送回数は５回である。ＵＧＳユーザ群の場合には、所要のデータ再送回数またはハイブリッド自動再送要求のプロセス数が少なくなり、例えば、所要のデータ再送回数は１回である。なお、データ再送策略は、本書に指定された事項に限定されず、データ再送に関するほかの事項を含んでもよい。
【００４９】
計時手段３２は、データ再送トリガー周期に基づいて計時するものである。ユーザ群の計時手段３２は、タイムアップした場合、ユーザ群に対してデータ再送処理を行うようデータ再送処理手段３４に通知する。
【００５０】
カウント手段３３は、ユーザ端末からのデータ再送要求を受信した後、ユーザ端末の属するユーザ群からのデータ再送要求の回数を記録し、計時手段３２がタイムアップしておらず、且つ、ユーザ群内のユーザ端末からのデータ再送要求の回数が突発的データ再送トリガー閾値以上である場合、ユーザ群に対してデータ再送処理を行うようデータ再送処理手段３４に通知するものである。
【００５１】
データ再送処理手段３４は、具体的には、再送パラメータ設定手段３１により設定されたパラメータと、計時手段３２およびカウント手段３３から受信した通知とに基づいて、データ再送設定フィールドを生成するデータ再送設定フィールド生成手段３４１と、データの再送を要求したユーザ端末にデータ再送設定フィールドおよび再送データを送信し、送信が終了すると、再計時するよう計時手段３２に通知する送信手段３４２と、を含む。
【００５２】
ここで、データ再送設定フィールドは、一般的には、サービス優先度種類サブフィールドと、データ再送策略指定サブフィールドとを含む。サービス優先度種類サブフィールドは、サービス優先度種類サブフィールドと整合するユーザ群の全てのユーザ端末はデータ再送策略により指定された事項に応じて再送データを受信し、他のサービス優先度種類と整合するユーザ群内のユーザ端末は処理を行わないように、当該サービス優先度種類サブフィールドと整合するユーザ群を指示するためのものである。データ再送策略指定サブフィールドは、データ再送装置とユーザ端末との間で約束された予め定められたデータ再送策略に基づいてデータの再送を開始するためのものである。
【００５３】
ユーザ端末は、送信手段３４２により送信されたデータ再送設定フィールドおよび再送データに基づいて再送データを受信し、他の部分は、データ再送周期に待機する。
【００５４】
上述した本発明の実施例に係る技術思想によれば、一定の公平性を確保することを前提として、Ｅ−ＭＢＭＳのデータ再送効率を向上させることができる。
【００５５】
なお、本発明は、システムの構成と従来の処理の流れを変更せずに実現できるため、実現しやすく、技術分野において普及しやすく、高い産業上の利用可能性を有する。
【００５６】
なお、上述した本発明の各モジュールまたはステップは、汎用のコンピュータ装置により実現することができ、単一のコンピュータ装置に集中して配置されてもよく、複数のコンピュータ装置からなるネットワークに配置されてもよい。また、コンピュータ装置が実行可能なプログラムコードにより実現されてもよい。これにより、記憶装置に記憶されてコンピュータ装置により実行されるか、それぞれを各々の集積回路モジュールに作成するか、それらの中の複数のモジュールまたはステップを単一の集積回路モジュールに作成することにより実現することができる。このように、本発明は、いずれの特定のハードウェアとソフトウェアの組み合わせにも限定されない。
【００５７】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【図１】
0005489134.tif 000002
【図２】
0005489134.tif 000003
【図３】
0005489134.tif 000004